(57)【要約】【課題】本発明は、食堂の顧客に食物に関する情報を提供する食堂管理システムを提供する。【解決手段】食物のカロリー情報、価格情報が格納された非接触タグ３０５と、非接触タグ３０５からの信号を受信するアンテナ３０１と、アンテナ３０１で受信した信号に含まれる食物のカロリー情報を表示する表示部３０６と、価格情報を情報記憶担体３０４に書き込むライタ部３０３とからなるリーダライタシステム。この構成により顧客は自らのカロリーコントロールを容易に行うことができる。【選択図】図３
2006277222.tif 000002
【特許請求の範囲】
【請求項１】
非接触タグからの信号を受信するアンテナと、前記アンテナで受信した信号に含まれる情報を復号化する復号化部と、前記復号化された情報を情報記憶担体に書き込むライタ部とからなるリーダライタ装置。
【請求項２】
非接触タグからの信号を受信するアンテナと、前記アンテナで受信した信号に重畳された情報を復号化する復号化部と、前記復号化された情報を表示する表示部と、情報を情報記憶担体に書き込むライタ部とからなるリーダライタ装置。
【請求項３】
食物のカロリー情報、価格情報が格納された非接触タグと、前記非接触タグからの信号を受信するアンテナと、前記アンテナで受信した信号に含まれる食物のカロリー情報を表示する表示部と、価格情報を情報記憶担体に書き込むライタ部とからなるリーダライタシステム。
【請求項４】
食物のカロリー情報、価格情報が格納された非接触タグと、前記非接触タグからの信号を受信するアンテナが埋め込まれたトレーと、前記トレーに取り付けられ前記アンテナで受信した信号に含まれる食物のカロリー情報を表示する表示部と、前記トレーに取り付けられ価格情報を情報記憶担体に書き込むライタ部とからなるリーダライタシステム。
【請求項５】
食物のカロリー情報、価格情報が格納された非接触タグと、前記非接触タグからの信号を受信するアンテナと、前記アンテナで受信した信号に含まれる食物のカロリー情報を表示する表示部と、価格情報を情報記憶担体に書き込むライタ部を具備する決済端末装置とからなるリーダライタシステム。
【請求項６】
食物のカロリー情報、価格情報が格納された非接触タグと、前記非接触タグからの信号を受信するアンテナが埋め込まれたトレーと、前記トレーに取り付けられ前記アンテナで受信した信号に含まれる食物のカロリー情報を表示する表示部と、前記トレーに取り付けられ価格情報を情報記憶担体に書き込むライタ部を具備する決済端末装置とからなるリーダライタシステム。
【請求項７】
食物の価格情報と顧客を一意に識別する顧客識別情報が格納された情報記憶担体と、前記情報記憶担体を読み取りおよび書き込みを行うリーダライタ部と、食物の価格情報と顧客を一意に識別する顧客識別情報を関連付けして記憶する記憶部と、前記リーダライタ部で読み取った食物の価格情報を顧客識別情報が示す前記記憶部の格納エリアに格納する情報格納部と、前記情報格納部の格納処理が成功したとき前記情報記憶担体の価格情報を消去するリーダライタ部を具備する精算装置とからなるリーダライタシステム。
【請求項８】
顧客を一意に識別する顧客識別情報と顧客が食物を摂取するとき考慮すべき情報が格納された情報記憶担体と、前記情報記憶担体の読み取りおよび書き込みを行うリーダライタ部と、顧客識別情報と顧客が摂取した食物の履歴情報を関連付けして記憶する記憶部と、顧客識別情報が示す前記記憶部の顧客が摂取した食物の履歴情報に基づき顧客が食物を摂取するとき考慮すべき情報を判定する判定部と、前記判定部が判定した顧客が食物を摂取するとき考慮すべき情報を前記記憶担体に書き込むリーダライタ部を具備する制限値書き込み装置とからなるリーダライタシステム。
【請求項９】
非接触タグに格納する情報が食物の栄養素の量情報、価格情報であり、顧客が食物を摂取するとき考慮すべき情報が食物の栄養素の量情報であり、表示部が表示する顧客が食物を摂取するとき考慮すべき情報が食物の栄養素の量情報であり、表示部が警告を表示する判定基準が食物の栄養素の量情報であり、制限値書き込み装置が書き込む顧客が食物を摂取
するとき考慮すべき情報が食物の栄養素の量情報である請求項３から請求項６および請求項８に記載のリーダライタシステム。
【請求項１０】
非接触タグに格納する情報が食物の塩分量情報、価格情報であり、顧客が食物を摂取するとき考慮すべき情報が食物の塩分量情報であり、表示部が表示する顧客が食物を摂取するとき考慮すべき情報が食物の塩分量情報であり、表示部が警告を表示する判定基準が食物の塩分量情報であり、制限値書き込み装置が書き込む顧客が食物を摂取するとき考慮すべき情報が食物の塩分量情報である請求項３から請求項６および請求項８に記載のリーダライタシステム。
【請求項１１】
非接触タグに格納する情報が食物の油の量情報、価格情報であり、顧客が食物を摂取するとき考慮すべき情報が食物の油の量情報であり、表示部が表示する顧客が食物を摂取するとき考慮すべき情報が食物の油の量情報であり、表示部が警告を表示する判定基準が食物の油の量情報であり、制限値書き込み装置が書き込む顧客が食物を摂取するとき考慮すべき情報が食物の油の量情報である請求項３から請求項６および請求項８に記載のリーダライタシステム。
【請求項１２】
非接触タグに格納する情報が食物のアレルギー物質の含有量情報、価格情報であり、顧客が食物を摂取するとき考慮すべき情報が食物のアレルギー物質の許容量情報であり、表示部が表示する顧客が食物を摂取するとき考慮すべき情報が食物のアレルギー物質の許容量情報であり、表示部が警告を表示する判定基準が食物のアレルギー物質の許容量情報であり、制限値書き込み装置が書き込む顧客が食物を摂取するとき考慮すべき情報が食物のアレルギー物質の含有量情報である請求項３から請求項６および請求項８に記載のリーダライタシステム。
【発明の詳細な説明】
【技術分野】
【０００１】
本発明は、非接触タグを用いた物品の情報提供及び料金決済を行う物品管理システムに関するものであり、特に食堂等において非接触タグを用いて食物に関する情報の提供と料金決済を効率よく実施する食堂管理システムに関する。
【背景技術】
【０００２】
一般に社員食堂やカフェテリア方式のレストランでは、セルフサービス方式が採用されている。顧客は、陳列棚から食物を選択し、トレーに載せ、最後の料金清算場で料金清算を行う。
【０００３】
このようなセルフサービス方式の食堂において、食器に非接触タグを取り付け、非接触タグに食物に関する情報としてカロリーや価格を格納し、料金清算場の読み取り装置にトレーに食器を載せたままかざすことにより、顧客がこれらの情報を確認できるシステムが公開されている（例えば、特許文献１参照）。
【特許文献１】特開２００４−１０２５６３号公報（第５図）
【発明の開示】
【発明が解決しようとする課題】
【０００４】
しかしながら、上記特許文献１の方式では、顧客は料金清算時に料金とカロリーを知ることができる。糖尿病等の成人病を患う顧客は、食物構成に注意する必要があり、カロリーや栄養素の構成を考えながら食物を選択している。
【０００５】
従って、もしカロリー超過や栄養素のアンバランスが起きたとき、顧客は料金清算場から陳列棚の場所まで戻って返品し、再度食物を選択する必要があり、利便性に欠けていた。
【０００６】
本発明は、上記従来の課題に鑑み、顧客が食物を選択するその場で食物に関する情報を提供し、食物選択の利便性を向上させるとともに、料金決済を顧客自身が行う食堂管理システムを提供することを目的とする。
【課題を解決するための手段】
【０００７】
上記目的を達成するために、本発明のリーダライタ装置は非接触タグからの信号を受信するアンテナと、前記アンテナで受信した信号に含まれる情報を復号化する復号化部と、前記復号化された情報を情報記憶担体に書き込むライタ部とからなる。
【０００８】
この構成によれば、リーダライタ装置は操作者が非接触タグをアンテナの通信範囲にかざした時点で非接触タグの情報を情報記憶担体に書き込むことができる。
【０００９】
また、本発明のリーダライタ装置は非接触タグからの信号を受信するアンテナと、前記アンテナで受信した信号に重畳された情報を復号化する復号化部と、前記復号化された情報を表示する表示部と、情報を情報記憶担体に書き込むライタ部とからなる。
【００１０】
この構成によれば、リーダライタ装置は操作者が非接触タグをアンテナの通信範囲にかざした時点で非接触タグの情報を顧客の情報記憶担体に書き込むことができる。
【００１１】
また、本発明のリーダライタシステムは食物のカロリー情報、価格情報が格納された非接触タグと、前記非接触タグからの信号を受信するアンテナと、前記アンテナで受信した
信号に含まれる食物のカロリー情報を表示する表示部と、価格情報を情報記憶担体に書き込むライタ部とからなる。
【００１２】
この構成によれば、リーダライタシステムは顧客が食物のカロリー情報、価格情報が格納された非接触タグが取り付けられた食器をアンテナの通信範囲にかざすことにより食物のカロリー情報を表示するとともに価格情報を顧客の情報記憶担体に書き込むことができる。
【００１３】
また、本発明のリーダライタシステムは食物のカロリー情報、価格情報が格納された非接触タグと、前記非接触タグからの信号を受信するアンテナが埋め込まれたトレーと、前記トレーに取り付けられ前記アンテナで受信した信号に含まれる食物のカロリー情報を表示する表示部と、前記トレーに取り付けられ価格情報を情報記憶担体に書き込むライタ部とからなる。
【００１４】
この構成によれば、リーダライタシステムは顧客が食物のカロリー情報、価格情報が格納された非接触タグが取り付けられた食器をトレーに載せた時点で食物のカロリー情報を表示する。また、価格情報を顧客の情報記憶担体に書き込むことができる。
【００１５】
また、本発明のリーダライタシステムは食物のカロリー情報、価格情報が格納された非接触タグと、前記非接触タグからの信号を受信するアンテナと、前記アンテナで受信した信号に含まれる食物のカロリー情報を表示する表示部と、価格情報を情報記憶担体に書き込むライタ部を具備する決済端末装置とからなる。
【００１６】
この構成によれば、リーダライタシステムは顧客が食物のカロリー情報、価格情報が格納された非接触タグが取り付けられた食器をアンテナの通信範囲にかざした時点で食物のカロリー情報を表示するとともに価格情報を顧客の情報記憶担体に書き込むことにより料金決済に必要な情報を保存できる。
【００１７】
また、本発明のリーダライタシステムは食物のカロリー情報、価格情報が格納された非接触タグと、前記非接触タグからの信号を受信するアンテナが埋め込まれたトレーと、前記トレーに取り付けられ前記アンテナで受信した信号に含まれる食物のカロリー情報を表示する表示部と、前記トレーに取り付けられ価格情報を情報記憶担体に書き込むライタ部を具備する決済端末装置とからなる。
【００１８】
この構成によれば、リーダライタシステムは顧客が食物のカロリー情報、価格情報が格納された非接触タグが取り付けられた食器をトレーに載せた時点で食物のカロリー情報を表示するとともに価格情報を顧客の情報記憶担体に書き込むことにより料金決済に必要な情報を保存できる。
【００１９】
また、本発明のリーダライタシステムは食物の価格情報と顧客を一意に識別する顧客識別情報が格納された情報記憶担体と、前記情報記憶担体の読み取りおよび書き込みを行うリーダライタ部と、食物の価格情報と顧客識別情報を関連付けして記憶する記憶部と、前記リーダライタ部で読み取った食物の価格情報を顧客識別情報が示す前記記憶部の格納エリアに格納する情報格納部と、前記情報格納部の格納処理が成功したとき前記情報記憶担体の価格情報を消去するリーダライタ部を具備する清算装置とからなる。
【００２０】
この構成によれば、リーダライタシステムは顧客が情報記憶担体を読み取らせた時点で料金決済に必要な情報を記憶部の格納エリアに格納するとともに次回の使用に備えて情報記憶担体の価格情報を消去することができる。
【００２１】
また、本発明のリーダライタシステムは顧客を一意に識別する顧客識別情報と顧客が食物を摂取するとき考慮すべき情報が格納された情報記憶担体と、前記情報記憶担体の読み取りおよび書き込みを行うリーダライタ部と、顧客識別情報と顧客が摂取した食物の履歴情報を関連付けして記憶する記憶部と、顧客識別情報が示す前記記憶部の顧客が摂取した食物の履歴情報に基づき顧客が食物を摂取するとき考慮すべき情報を判定する判定部と、前記判定部が判定した顧客が食物を摂取するとき考慮すべき情報を前記情報記憶担体に書き込むリーダライタ部を具備する制限値書き込み装置とからなる。
【００２２】
この構成によれば、リーダライタシステムは今回の使用に備えて顧客の情報記憶担体に顧客が食物を摂取するとき考慮すべき情報を書き込むことができる。
【００２３】
また、本発明のリーダライタシステムは非接触タグに格納する情報が食物の塩分量情報、価格情報であり、顧客が食物を摂取するとき考慮すべき情報が食物の塩分量情報であり、表示部が表示する顧客が食物を摂取するとき考慮すべき情報が食物の塩分量情報であり、表示部が警告を表示する判定基準が食物の塩分量情報であり、制限値書き込み装置が書き込む顧客が食物を摂取するとき考慮すべき情報が食物の塩分量情報である。
【００２４】
この構成によれば、リーダライタシステムは顧客に摂取した食物の塩分量情報を提供できるとともに、塩分量オーバーを未然に防止できる。
【００２５】
また、本発明のリーダライタシステムは非接触タグに格納する情報が食物の油の量情報、価格情報であり、顧客が食物を摂取するとき考慮すべき情報が食物の油の量情報であり、表示部が表示する顧客が食物を摂取するとき考慮すべき情報が食物の油の量情報であり、表示部が警告を表示する判定基準が食物の油の量情報であり、制限値書き込み装置が書き込む顧客が食物を摂取するとき考慮すべき情報が食物の油の量情報である。
【００２６】
この構成によれば、リーダライタシステムは顧客に摂取した食物の油の量情報を提供できるとともに、油の量オーバーを未然に防止できる。
【００２７】
また、本発明のリーダライタシステムは非接触タグに格納する情報が食物のアレルギー物質の含有量情報、価格情報であり、顧客が食物を摂取するとき考慮すべき情報が食物のアレルギー物質の許容量情報であり、表示部が表示する顧客が食物を摂取するとき考慮すべき情報が食物のアレルギー物質の許容量情報であり、表示部が警告を表示する判定基準が食物のアレルギー物質の許容量情報であり、制限値書き込み装置が書き込む顧客が食物を摂取するとき考慮すべき情報が食物のアレルギー物質の含有量情報である。
【００２８】
この構成によれば、リーダライタシステムは顧客の摂取した食物のアレルギー物質の含有量情報を提供できるとともに、アレルギー物質の摂取オーバーを未然に防止できる。
【発明の効果】
【００２９】
以上のように本発明によると、リーダライタシステムは顧客が食物を選択するその場で食物に関する情報を提供し、食物選択の利便性を向上させるという多大な効果を奏する。
【発明を実施するための最良の形態】
【００３０】
（実施の形態１）
以下、本発明の実施の形態１について、図１を用いて説明する。
【００３１】
図１は、リーダライタ装置の構成図である。
【００３２】
図１において、１００はリーダライタ装置である。
【００３３】
１０１は非接触タグ１０５からの信号を受信するアンテナである。
【００３４】
１０２はアンテナ１０１で受信した信号に含まれる情報を復号化する復号化部である。
【００３５】
１０３は復号化された情報を情報記憶担体１０４に書き込むライタ部である。
【００３６】
１０４は情報記憶担体であり、非接触式または接触式により情報の読み込み・書き込みが行える担体であり、例えば非接触式カード、接触式カードを使用する。
【００３７】
１０５は非接触タグであり、例えば電池を有しリーダライタ装置からの送信要求に関係なく常時信号を発信するアクティブタグを使用する。
【００３８】
次に、以上のような構成におけるリーダライタ装置１００の動作を説明する。
【００３９】
リーダライタ装置１００は非接触タグ１０５からの信号をアンテナ１０１で受信する。アンテナ１０１は、その信号を復号化部１０２に入力する。復号化部１０２は、その信号に含まれる情報を復号化し、ライタ部１０３に入力する。ライタ部１０３は、復号化された情報を情報記憶担体１０４に書き込む。
【００４０】
以上のように、操作者（図示せず）が非接触タグをアンテナの通信範囲にかざした時点、あるいは操作者（図示せず）がリーダライタ装置を移動させアンテナの通信範囲に非接触タグを位置させた時点で非接触タグの情報を情報記憶担体に書き込むことができる。
【００４１】
（実施の形態２）
以下、本発明の実施の形態２について、図２を用いて説明する。
【００４２】
図２は、リーダライタ装置の構成図である。
【００４３】
図２において、２００はリーダライタ装置である。
【００４４】
２０１は非接触タグ２０５からの信号を受信するとともに非接触タグ２０５に起電力用の搬送信号と搬送信号に送信要求を重畳して送信するアンテナである。
【００４５】
２０２はアンテナ２０１で受信した信号に重畳された情報を複合化する複号化部である。
【００４６】
２０３は復号化された情報を情報記憶担体２０４に書き込むライタ部である。
【００４７】
２０４は情報記憶担体であり、非接触式または接触式により情報の読み込み・書き込みが行える担体であり、例えば非接触式カード、接触式カードを使用する。
【００４８】
２０５は非接触タグであり、例えば電池なしでリーダライタ装置からの搬送信号を起電力のエネルギ源として発電し、発電した電力を使用し送信要求に応じて搬送信号に情報を重畳して発信するパッシブタグを使用する。
【００４９】
２０６は復号化された情報を表示する表示部であり、例えば液晶表示部を使用する。
【００５０】
次に、以上のような構成におけるリーダライタ装置２００の動作を説明する。
【００５１】
リーダライタ装置２００は、アンテナ２０１から搬送信号を送信し、さらに搬送信号に送信要求を重畳して定期的に送信する。アンテナ２０１は非接触タグ２０５からの信号を受信する。アンテナ２０１は、その信号を復号化部２０２に入力する。復号化部２０２は、その信号に含まれる情報を復号化し、表示部２０６とライタ部２０３に入力する。表示部２０６は復号化された情報を表示する。ライタ部２０３は、復号化された情報を情報記憶担体２０４に書き込む。
【００５２】
以上のように、操作者（図示せず）が非接触タグをアンテナの通信範囲にかざした時点、あるいは操作者（図示せず）がリーダライタ装置を移動させアンテナの通信範囲に非接触タグを位置させた時点で非接触タグの情報を表示部に表示するとともに情報記憶担体に書き込むことができる。
【００５３】
（実施の形態３）
以下、本発明の実施の形態３について、図３から図９を用いて説明する。
【００５４】
図３は、リーダライタシステムの構成図である。
【００５５】
リーダライタシステムは、リーダライタ装置３００、食器３０７そして情報記憶担体３０４により構成される。
【００５６】
図３において、３００はリーダライタ装置である。
【００５７】
３０１は非接触タグ３０５からの信号を受信するとともに非接触タグ３０５に起電力用の搬送信号と搬送信号に送信要求を重畳して送信するアンテナである。
【００５８】
３０２はアンテナ３０１で受信した信号に重畳された情報を複合化する複号化部である。
【００５９】
３０３は復号化された情報を情報記憶担体３０４に書き込むライタ部である。
【００６０】
３０４は情報記憶担体であり、非接触式または接触式により情報の読み込み・書き込みが行える担体であり、例えば非接触式カード、接触式カードを使用する。
【００６１】
３０５は非接触タグであり、例えば電池なしでリーダライタ装置からの搬送信号を起電力のエネルギ源として発電し、発電した電力を使用し送信要求に応じて搬送信号に情報を重畳して発信するパッシブタグを使用する。
【００６２】
３０６は復号化された情報を表示する表示部であり、例えば液晶表示部を使用する。
【００６３】
なお、１画面で５品分の食物に関する情報を表示でき、表示切り替えは上ボタン３０９と下ボタン３１０で行う。
【００６４】
３０７は食物を盛り付ける食器であり、底部の裏に非接触タグ３０５が取り付けられている。
【００６５】
図４は、リーダライタ装置の操作パネルを示す図である。
【００６６】
図４において、３００はリーダライタ装置である。
【００６７】
３０８は食物の選択が完了し、価格情報を情報記憶担体に書き込むとき押下する書き込
みボタンである。
【００６８】
３０９は表示部３０６に表示した食物を選択するための上ボタンである。
【００６９】
３１０は表示部３０６に表示した食物を選択するための下ボタンである。
【００７０】
３１１は表示部３０６に表示した食物を取り消すための取り消しボタンであり、上ボタン３０９または下ボタン３１０で選択する。
【００７１】
３１２は非接触タグ３０５を読み取るときに押下する読み取りボタンである。
【００７２】
なお、図４に示すように情報記憶担体３０４をリーダライタ装置３００に挿入することにより書き込みが可能となるものとする。
【００７３】
図５は非接触タグに格納されている情報を示す図である。
【００７４】
非接触タグ識別番号は、非接触タグを一意に識別するためのコードである。
【００７５】
食物の名称は、食器３０７に盛り付けられる食物の名称である。
【００７６】
食物のカロリー情報は、食器３０７に盛り付けられている食物のカロリー情報である。
【００７７】
食物の価格情報は、食器３０７に盛り付けられる食物の価格情報である。
【００７８】
非接触タグ３０５は、送信要求を受信するとこれらの情報を信号に重畳して送信するものとする。
【００７９】
図６は、情報記憶担体に格納されている情報を示す図である。
【００８０】
図６（ａ）は、情報記憶担体に格納されている情報の上位定義を示す図である。
【００８１】
顧客識別情報は、顧客に関する情報であり、詳細を図６（ｂ）に示す。
【００８２】
第１の食物情報から第１０の食物情報は、食物に関する情報であり、詳細を図６（ｃ）に示す。なお、本実施の形態では１０個の食物としているが運用に応じて調整してよい。
【００８３】
図６（ｂ）は、顧客識別情報の詳細定義を示す図である。
【００８４】
顧客ＩＤ番号は、顧客を一意に識別するためのコードである。
【００８５】
顧客氏名は、顧客の氏名である。
【００８６】
カロリー制限値は、顧客が食物を摂取するとき考慮すべき情報であり、本実施の形態では顧客が食堂管理システムを利用する場合の１回あたりのカロリー制限値である。
【００８７】
図６（ｃ）は、第１の食物情報から第１０の食物情報の詳細定義を示す図である。
【００８８】
第１の食物情報から第１０の食物情報には、非接触タグ３０５から受信した情報を書き込む。なお、本実施の形態では１０個の食物としているが運用に応じて調整してよい。
【００８９】
図７は、表示部が表示する情報を示す図である。
【００９０】
図７（ａ）は、表示部が表示する情報の上位定義を示す図である。
【００９１】
顧客情報エリアは、顧客に関する情報であり、詳細を図７（ｂ）に示す。
【００９２】
個別食物情報エリアは、顧客が選択した食物に関する情報であり、詳細を図７（ｃ）及び図７（ｄ）に示す。
【００９３】
合計食物情報エリアは、顧客が選択した食物のカロリー情報と価格情報の合計値であり、詳細を図７（ｅ）に示す。
【００９４】
図７（ｂ）は、図６（ｂ）と同じなので説明を省略する。
【００９５】
図７（ｃ）は、図６（ａ）の第１の食物情報から第１０の食物情報と同じなので説明を省略する。
【００９６】
図７（ｄ）は、図６（ｃ）と同じなので説明を省略する。
【００９７】
図７（ｅ）は、合計食物情報の詳細定義を示す図である。
【００９８】
食物の数は、顧客が選択した食物の数である。
【００９９】
カロリー情報の合計は、顧客が選択した食物のカロリー情報の合計値である。
【０１００】
価格情報の合計は、顧客が選択した食物の価格情報の合計値である。
【０１０１】
なお、表示部３０６は第１の食物情報から第１０の食物情報を食物のカロリー情報に従いソートする機能があり、カロリー値の大きい食物を上位に表示するものとする。
【０１０２】
次に、以上のような構成におけるリーダライタシステムの動作を説明する。
【０１０３】
顧客は、図４に示すようにリーダライタ装置３００に情報記憶担体３０４を挿入して使用する。
【０１０４】
顧客は、食物を選択するとき、図３に示すように食器３０７の上にリーダライタ装置３００を位置させ、図４の読み取りボタン３１２を押下する。
【０１０５】
リーダライタ装置３００は、アンテナ３０１から搬送信号を送信し、さらに搬送信号に送信要求を重畳して定期的に送信する。アンテナ３０１は非接触タグ３０５からの信号を受信する。アンテナ３０１は、その信号を復号化部３０２に入力する。復号化部３０２は、その信号に含まれる情報を復号化し、表示部３０６とライタ部３０３に入力する。
【０１０６】
表示部３０６は復号化された情報を表示する。
【０１０７】
図８及び図９は、表示部の表示状態を示す図である。
【０１０８】
図８において、顧客は４品の食物を選択した状態である。
【０１０９】
表示部３０６は、復号化部３０２から入力した情報を図７の定義に従って記憶し、表示
する。表示部３０６の上段には、図７（ａ）の顧客情報エリアの情報を表示する。表示部３０６の中段には、図７（ａ）の個別食物情報エリアの情報を表示する、表示部３０６の下段には、図７（ａ）の合計食物情報エリアの情報を表示する。
【０１１０】
また、表示部３０６の上段右側にカロリー情報の合計がカロリー制限値を超える場合には「警告」を表示する。表示部３０６は、警告を表示する判定基準として食物のカロリー情報を使用する。
【０１１１】
顧客が警告表示を確認し１のチキンの照り焼きを取り消して、アジの塩焼きに変更する手順を説明する。顧客は、食物を取り消すとき、図４の上ボタン３０９または下ボタン３１０で選択し、取り消しボタン３１１を押下する。この操作でチキンの照り焼きを取り消した。
【０１１２】
次に、顧客はアジの塩焼きを選択する。
【０１１３】
図９においては、アジの塩焼きが取り込まれ、表示情報が更新される。
【０１１４】
この結果、カロリー情報の合計がカロリー制限値を下回ったので「警告」は消去される。
【０１１５】
顧客は、表示部３０６の内容を確認し、図４の書き込みボタン３０８を押下する。
【０１１６】
ライタ部３０３は、復号化された情報を情報記憶担体３０４に書き込む。
【０１１７】
以上のように、リーダライタシステムは顧客が食物のカロリー情報、価格情報が格納された非接触タグが取り付けられた食器をアンテナの通信範囲にかざした時点で食物のカロリー情報を表示する。また、価格情報を顧客の情報記憶担体に書き込むことができる。
【０１１８】
また、食物の返品や交換が発生した場合、食物を選択したその場で食物に関する情報を確認できるので、料金清算場から引き返すというような面倒がない。
【０１１９】
また、カロリー制限値を設けることで、カロリーオーバーを未然に防止できる。
【０１２０】
なお、本実施の形態では制限条件としてカロリー値を示しているが、非接触タグに格納する情報として、塩分の量、油の量、アレルギー物質の含有量を追加して、顧客の情報記憶担体にそれらのしきい値を追加または食物のカロリー情報と置き換えて、表示部には警告を表示する判定基準として今回のそれらの値がしきい値を超える場合は警告を表示するようにしてもよい。
【０１２１】
（実施の形態４）
以下、本発明の実施の形態４について、図８、図９、図１０、図１１を用いて説明する。
【０１２２】
図１０は、リーダライタシステムの構成図である。
【０１２３】
リーダライタシステムは、リーダライタ装置４００、食器４０７そして情報記憶担体４０４（図示せず）により構成される。
【０１２４】
図１０（ａ）は、リーダライタ装置、トレー及び食器の上面図である。
【０１２５】
図１０（ａ）において、４００はリーダライタ装置である。
【０１２６】
４２０は非接触タグ４０５からの信号を受信するアンテナ４０１が埋め込まれたトレーであり、アンテナ４０１を形成するアンテナ線がリーダライタ装置４００内部に取り込まれた復号化部４０２と接続されている。
【０１２７】
４０２（図示せず）はアンテナ４０１で受信した信号に重畳された情報を復号化する復号化部である。
【０１２８】
４０３（図示せず）は復号化された情報を情報記憶担体４０４に書き込むライタ部である。
【０１２９】
４０４（図示せず）は情報記憶担体であり、非接触式または接触式により情報の読み込み・書き込みが行える担体であり、例えば非接触式カード、接触式カードを使用する。
【０１３０】
４０６（図示せず）は復号化された情報を表示する表示部であり、例えば液晶表示部を使用する。１画面で５品分の食物に関する情報を表示でき、表示切り替えは上ボタン４０９と下ボタン４１０で行う。
【０１３１】
なお、復号化部４０２、ライタ部４０３及び表示部４０６はリーダライタ装置４００内部に収納されているものとする。
【０１３２】
４０７は食物を盛り付ける食器であり、底部の裏に非接触タグ４０５が貼り付けられている。
【０１３３】
図１０（ｂ）は、リーダライタ装置、トレー及び食器Ａ−Ａ’における断面図である。
【０１３４】
トレー４２０上に食器４０７を載せた状態を示す。
【０１３５】
図１０（ｃ）は、図１０（ｂ）のＢ部の拡大図である。
【０１３６】
４０５は非接触タグであり、例えば電池なしでリーダライタ装置からの搬送信号を起電力のエネルギ源として発電し、発電した電力を使用し送信要求に応じて搬送信号に情報を重畳して発信するパッシブタグを使用する。
【０１３７】
アンテナ４０１の取り付け位置は、トレー４２０上に食器４０７を載せて最も端部にあるときの非接触タグ４０５を中心からトレー４２０の端部までの距離Ｌ１と、非接触タグ４０５の半径Ｒと、アンテナ４０１の内側のアンテナ線からトレー４２０の端部までの距離Ｌ２と定義したとき、式１が成立する範囲内とする。この結果、非接触タグ４０５は常にアンテナ４０１の内側に存在するので読み落とす可能性が低くなる。
【０１３８】
【数１】
2006277222.tif 000003
【０１３９】
図１１は、リーダライタ装置の操作パネルを示す図である。
【０１４０】
図１１において、４００はリーダライタ装置である。
【０１４１】
４０８は食物の選択が完了し、価格情報を情報記憶担体に書き込むときに押下する書き
込みボタンである。
【０１４２】
４０９は表示部４０６の表示をスクロールするための上ボタンである。
【０１４３】
４１０は表示部４０６の表示をスクロールするための下ボタンである。
【０１４４】
リーダライタ装置４００はトレー４２０にアンテナ４０１を設置している。アンテナ４０１から常時搬送信号と送信要求を送信しているので、顧客が食器４０７をトレー４２０に載せるだけで読み取りが行われる。従って、実施の形態３の読み取りボタン３１２は不要である。また、トレー４２０に複数の食器４０７を載せても読み取り可能であるものとする。
【０１４５】
なお、図１１に示すように情報記憶担体４０４をリーダライタ装置４００に挿入することにより書き込みが可能となるものとする。
【０１４６】
非接触タグに格納されている情報は、実施の形態３の図５と同じなので説明を省略する。
【０１４７】
情報記憶担体に格納されている情報は、実施の形態３の図６と同じなので説明を省略する。
【０１４８】
表示部が表示する情報は、実施の形態３の図７と同じなので説明を省略する。
【０１４９】
次に、以上のような構成におけるリーダライタシステムの動作を説明する。
【０１５０】
顧客は、図１１に示すようにリーダライタ装置４００に情報記憶担体４０４を挿入して使用する。
【０１５１】
顧客は、食物を選択するとき、図１０に示すようにトレー４２０に食器４０７を載せる。
【０１５２】
リーダライタ装置４００は、アンテナ４０１から搬送信号を常時送信しており、さらに搬送信号に送信要求を重畳して定期的に送信する。アンテナ４０１は非接触タグ４０５からの信号を受信する。アンテナ４０１は、その信号を復号化部４０２に入力する。復号化部４０２は、その信号に含まれる情報を復号化し、表示部４０６とライタ部４０３に入力する。
【０１５３】
表示部４０６は復号化された情報を表示する。
【０１５４】
図８及び図９は、表示部の表示状態を示す図である。
【０１５５】
図８において、顧客は４品の食物を選択し、トレー４２０に載せた状態である。
【０１５６】
表示部４０６は、復号化部４０２から入力した情報を図7の定義に従って記憶し、表示する。表示部４０６の上段には、図７（ａ）の顧客情報エリアの情報を表示する。表示部４０６の中段には、図７（ａ）の個別食物情報エリアの情報を表示する。表示部４０６の下段には、図７（ａ）の合計食物情報エリアの情報を表示する。
【０１５７】
また、表示部４０６の上段右側にカロリー情報の合計がカロリー制限値を超える場合は「警告」を表示する。表示部４０６は、警告を表示する判定基準として食物のカロリー情
報を使用する。
【０１５８】
顧客が警告表示を確認し１のチキンの照り焼きを取り消して、アジの塩焼きに変更する手順を説明する。顧客は、食物を取り消すとき、単にトレー４２０から該当する食器４０７をおろし、陳列棚に戻すだけでよい。この操作でチキンの照り焼きを取り消した。
【０１５９】
実施の形態３のように取り消しボタン３１１を押下する必要はない。
【０１６０】
次に、顧客はアジの塩焼きの選択し、トレー４２０に載せる。
【０１６１】
図９においては、アジの塩焼きが取り込まれ、表示情報が更新される。
【０１６２】
この結果、カロリー情報の合計がカロリー制限値を下回ったのでは「警告」は消去される。
【０１６３】
顧客は、表示部４０６の内容を確認し、図１１の書き込みボタン４０８を押下する。
【０１６４】
ライタ部４０３は、復号化された情報を情報記憶担体４０４に書き込む。
【０１６５】
以上のように、リーダライタシステムは顧客が食物のカロリー情報、価格情報が格納された非接触タグが取り付けられた食器をトレーに載せた時点で食物のカロリー情報を表示する。また、価格情報を顧客の情報記憶担体に書き込むことができる。
【０１６６】
また、食物の返品や交換が発生した場合、食物を選択したその場で食物に関する情報を確認できるので、料金清算場から引き返すというような面倒がない。
【０１６７】
さらに、リーダライタシステムは顧客が食器４０７をトレー４２０に載せる及びおろすという簡単な操作で食物の選択及び返品を実行できる。
【０１６８】
また、カロリー制限値を設けることで、カロリーオーバーを未然に防止できる。
【０１６９】
なお、本実施の形態では制限条件としてカロリー値を示しているが、非接触タグに格納する情報として、塩分の量、油の量、アレルギー物質の含有量を追加して、顧客の情報記憶担体にそれらのしきい値を追加または食物のカロリー情報と置き換えて、表示部は警告を表示する判定基準として今回のそれらの値がしきい値を超える場合は警告を表示するようにしてもよい。
【０１７０】
（実施の形態５）
以下、本発明の実施の形態５について、図８、図９、図１２、図１３を用いて説明する。
【０１７１】
リーダライタシステムは、決済端末装置５００、食器５０７そして情報記憶担体５０４により構成される。
【０１７２】
５０１は非接触タグ５０５からの信号を受信するとともに非接触タグ５０５に起電力用の搬送信号と搬送信号に送信要求を重畳して送信するアンテナである。
【０１７３】
５０２はアンテナ５０１で受信した信号に重畳された情報を複合化する複号化部である。
【０１７４】
５０３は復号化された情報を情報記憶担体５０４に書き込むライタ部である。
【０１７５】
５０４は情報記憶担体であり、非接触式または接触式により情報の読み込み・書き込みが行える担体であり、例えば非接触式カード、接触式カードを使用する。
【０１７６】
５０５は非接触タグであり、例えば電池なしで決済端末装置からの搬送信号を起電力のエネルギ源として発電し、発電した電力を使用し送信要求に応じて搬送信号に情報を重畳して発信するパッシブタグを使用する。
【０１７７】
５０６は復号化された情報を表示する表示部であり、例えば液晶表示部を使用する。
【０１７８】
なお、１画面で５品分の食物に関する情報を表示でき、表示切り替えは上ボタン５０９と下ボタン５１０で行う。
【０１７９】
なお、アンテナ５０１、復号化部５０２、ライタ部５０３及び表示部５０６は決済端末装置５００内部に収納されているものとする。
【０１８０】
５０７は食物を盛り付ける食器であり、底部の裏の非接触タグ５０５が貼り付けられている。
【０１８１】
図１２は、決済端末装置の操作パネルを示す図である。
【０１８２】
図１２において、５００は決済端末装置である。
【０１８３】
５０８は食物の選択が完了し、価格情報を料金決済情報として情報記憶担体に書き込むとき押下する決済確定ボタンである。
【０１８４】
５０９は表示部５０６に表示した食物を選択するための上ボタンである。
【０１８５】
５１０は表示部５０６に表示した食物を選択するための下ボタンである。
【０１８６】
５１１は表示部５０６に表示した食物を取り消すための取り消しボタンであり、上ボタン５０９または下ボタン５１０で選択する。
【０１８７】
５１２は非接触タグ５０５を読み取るときに押下する読み取りボタンである。
【０１８８】
なお、図１２に示すように情報記憶担体５０４を決済端末装置５００に挿入することにより書き込みが可能となるものとする。
【０１８９】
非接触タグに格納されている情報は、実施の形態３の図５を同じなので説明を省略する。
【０１９０】
図１３は、情報記憶担体に格納されている情報を示す図である。
【０１９１】
図１３（ａ）は、実施の形態３の図６（ａ）と同じなので説明を省略する。
【０１９２】
図１３（ｂ）は、実施の形態３の図６（ｂ）と同じなので説明を省略する。
【０１９３】
図１３（ｃ）は、第１の食物情報から第１０の食物情報の詳細定義を示す図である。
【０１９４】
第１の食物情報から第１０の食物情報には、非接触タグ３０５から受信した情報に決済フラグを追加して書き込む。決済フラグは０が未決済、１が決済済みと定義する。
【０１９５】
なお、本実施の形態では１０個の食物としているが運用に応じて調整してよい。
【０１９６】
表示部が表示する情報は、実施の形態３の図７と同じなので説明を省略する。
【０１９７】
次に、以上のような構成におけるリーダライタシステムの動作を説明する。
【０１９８】
顧客は、図１２に示すように決済端末装置５００に情報記憶担体５０４を挿入して使用する。
【０１９９】
顧客は、食物を選択するとき、食器５０７の上に決済端末装置５００を位置させ、図１２の読み取りボタン５１２を押下する。
【０２００】
決済端末装置５００は、アンテナ５０１から搬送信号を送信し、さらに搬送信号に送信要求を重畳して定期的に送信する。アンテナ５０１は非接触タグ５０５からの信号を受信する。アンテナ５０１は、その信号を復号化部５０２に入力する。復号化部５０２は、その信号に含まれる情報を復号化し、表示部５０６とライタ部５０３に入力する。
【０２０１】
表示部５０６は復号化された情報を表示する。
【０２０２】
図８及び図９は、表示部の表示状態を示す図である。
【０２０３】
図８において、顧客は４品の食物を選択した状態である。
【０２０４】
表示部５０６は、復号化部５０２から入力した情報を図7の定義に従って記憶し、表示する。表示部５０６の上段には、図７（ａ）の顧客情報エリアの情報を表示する。表示部５０６の中段には、図７（ａ）の個別食物情報エリアの情報を表示する。表示部５０６の下段には、図７（ａ）の合計食物情報エリアの情報を表示する。
【０２０５】
また、表示部５０６の上段右側にカロリー情報の合計がカロリー制限値を超える場合は「警告」を表示する。表示部５０６は、警告を表示する判定基準として食物のカロリー情報を使用する。
【０２０６】
顧客が警告表示を確認し１のチキンの照り焼きを取り消して、アジの塩焼きに変更する手順を説明する。顧客は、食物を取り消すとき、図１２の上ボタン５０９または下ボタン５１０で選択し、取り消しボタン５１１を押下する。この操作でチキンの照り焼きを取り消した。
【０２０７】
次に、顧客はアジの塩焼きを選択する。
【０２０８】
図９においては、アジの塩焼きが取り込まれ、表示情報が更新される。
【０２０９】
この結果、カロリー情報の合計がカロリー制限値を下回ったのでは「警告」は消去される。
【０２１０】
顧客は、表示部５０６の内容を確認し、図１２の決済確定ボタン５０８を押下する。
【０２１１】
ライタ部５０３は、決済フラグに１を設定した後、復号化された情報と決済フラグを情
報記憶担体５０４に書き込む。
【０２１２】
以上のように、リーダライタシステムは顧客が食物のカロリー情報、価格情報が格納された非接触タグが取り付けられた食器をアンテナの通信範囲にかざした時点で食物のカロリー情報を表示する。また、価格情報を顧客の情報記憶担体に書き込むことができる。
【０２１３】
また、食物の返品や交換が発生した場合、食物を選択したその場で食物に関する情報を確認できるので、料金清算場から引き返すというような面倒がない。
【０２１４】
さらに、顧客自身が料金決済まで実施できるので、料金清算場の操作者が不要になり人件費が削減できる。
【０２１５】
また、カロリー制限値を設けることで、カロリーオーバーを未然に防止できる。
【０２１６】
なお、本実施の形態では制限条件としてカロリー値を示しているが、非接触タグに格納する情報として、塩分の量、油の量、アレルギー物質の含有量を追加して、顧客の情報記憶担体にそれらのしきい値を追加または食物のカロリー情報と置き換えて、表示部には警告を表示する判定基準として今回のそれらの値がしきい値を超える場合は警告を表示するようにしてもよい。
【０２１７】
（実施の形態６）
以下、本発明の実施の形態６について、図８、図９、図１４を用いて説明する。
【０２１８】
リーダライタシステムは、決済端末装置６００、食器６０７そして情報記憶担体６０４により構成される。
【０２１９】
決済端末装置６００は、実施の形態４の図１０と同じようにトレー６２０に取り付けられるものとする。
【０２２０】
６２０は非接触タグ６０５からの信号を受信するアンテナ６０１が埋め込まれたトレーであり、アンテナ６０１を形成するアンテナ線が決済端末装置６００内部に取り込まれ復号化部６０２と接続されている。
【０２２１】
６０２はアンテナ６０１で受信した信号に重畳された情報を復号化する復号化部である。
【０２２２】
６０３は復号化された情報を情報記憶担体６０４に書き込むライタ部である。
【０２２３】
６０４は情報記憶担体であり、非接触式または接触式により情報の読み込み・書き込みが行える担体であり、例えば非接触式カード、接触式カードを使用する。
【０２２４】
６０６は復号化された情報を表示する表示部であり、例えば液晶表示部を使用する。１画面で５品分の食物に関する情報を表示でき、表示切り替えは上ボタン６０９と下ボタン６１０で行う。
【０２２５】
なお、復号化部６０２、ライタ部６０３及び表示部６０６は決済端末装置６００内部に収納されているものとする。
【０２２６】
６０７は食物を盛り付ける食器であり、底部の裏の非接触タグ６０５が貼り付けられている。
【０２２７】
図１４は、決済端末装置の操作パネルを示す図である。
【０２２８】
図１４において、６００は決済端末装置である。
【０２２９】
６０８は食物の選択が完了し、価格情報を料金決済情報として情報記憶担体に書き込むときに押下する決済確定ボタンである。
【０２３０】
６０９は表示部６０６の表示をスクロールするための上ボタンである。
【０２３１】
６１０は表示部６０６の表示をスクロールするための下ボタンである。
【０２３２】
決済端末装置６００はトレー６２０にアンテナ６０１を設置している。アンテナ６０１から常時搬送信号と送信要求を送信しているので、顧客が食器６０７をトレー６２０に載せるだけで読み取りが行われる。また、トレー６２０に複数の食器６０７を載せても読み取り可能であるものとする。
【０２３３】
なお、図１４に示すように情報記憶担体６０４を決済端末装置６００に挿入することにより書き込みが可能となるものとする。
【０２３４】
非接触タグに格納されている情報は、実施の形態３の図５と同じなので説明を省略する。
【０２３５】
情報記憶担体に格納されている情報は、実施の形態５の図１３と同じなので説明を省略する。
【０２３６】
表示部が表示する情報は、実施の形態３の図７と同じなので説明を省略する。
【０２３７】
次に、以上のような構成におけるリーダライタシステムの動作を説明する。
【０２３８】
顧客は、図１２に示すように決済端末装置６００に情報記憶担体６０４を挿入して使用する。
【０２３９】
顧客は、食物を選択するとき、トレー６２０に食器６０７を載せる。
【０２４０】
決済端末装置６００は、アンテナ６０１から搬送信号を常時送信しており、さらに搬送信号に送信要求を重畳して定期的に送信する。アンテナ６０１は非接触タグ６０５からの信号を受信する。アンテナ６０１は、その信号を復号化部６０２に入力する。復号化部６０２は、その信号に含まれる情報を復号化し、表示部６０６とライタ部６０３に入力する。
【０２４１】
表示部６０６は復号化された情報を表示する。
【０２４２】
図８及び図９は、表示部の表示状態を示す図である。
【０２４３】
図８において、顧客は４品の食物を選択し、トレー６２０に載せた状態である。
【０２４４】
表示部６０６は、復号化部６０２から入力した情報を図7の定義に従って記憶し、表示する。表示部６０６の上段には、図７（ａ）の顧客情報エリアの情報を表示する。表示部６０６の中段には、図７（ａ）の個別食物情報エリアの情報を表示する、表示部６０６の
下段には、図７（ａ）の合計食物情報エリアの情報を表示する。
【０２４５】
また、表示部６０６の上段右側にカロリー情報の合計がカロリー制限値を超える場合には「警告」を表示する。表示部６０６は、警告を表示する判定基準として食物のカロリー情報を使用する。
【０２４６】
顧客が警告表示を確認し１のチキンの照り焼きを取り消して、アジの塩焼きに変更する手順を説明する。顧客は、食物を取り消すとき、単にトレー６２０から該当する食器６０７をおろし、陳列棚に戻すだけでよい。この操作でチキンの照り焼きを取り消した。
【０２４７】
実施の形態３のように取り消しボタン３１１を押下する必要はない。
【０２４８】
次に、顧客はアジの塩焼きの選択し、トレー６２０に載せる。
【０２４９】
図９においては、アジの塩焼きが取り込まれ、表示情報が更新される。
【０２５０】
この結果、カロリー情報の合計がカロリー制限値を下回ったので「警告」は消去される。
【０２５１】
顧客は、表示部６０６の内容を確認し、図１４の決済確定ボタン６０８を押下する。
【０２５２】
ライタ部６０３は、決済フラグに１を設定した後、復号化された情報と決済フラグを情報記憶担体６０４に書き込む。
【０２５３】
以上のように、リーダライタシステムは顧客が食物のカロリー情報、価格情報が格納された非接触タグが取り付けられた食器をアンテナの通信範囲にかざした時点で食物のカロリー情報を表示する。また、価格情報を顧客の情報記憶担体に書き込むことができる。
【０２５４】
また、食物の返品や交換が発生した場合、食物を選択したその場で食物に関する情報を確認できるので、料金清算場から引き返すというような面倒がない。
【０２５５】
さらに、リーダライタシステムは顧客が食器６０７をトレー６２０に載せる及びおろすという簡単な操作で食物の選択及び返品を実行できる。
【０２５６】
また、顧客自身が料金決済まで実施できるので、料金清算場の操作者が不要になり人件費が削減できる。
【０２５７】
また、カロリー制限値を設けることで、カロリーオーバーを未然に防止できる。
【０２５８】
なお、本実施の形態では制限条件としてカロリー値を示しているが、非接触タグに格納する情報として、塩分の量、油の量、アレルギー物質の含有量を追加して、顧客の情報記憶担体にそれらのしきい値を追加または食物のカロリー情報と置き換えて、表示部には警告を表示する判定基準として今回のそれらの値がしきい値を超える場合は警告を表示するようにしてもよい。
【０２５９】
（実施の形態７）
以下、本発明の実施の形態７について、図１５、図１６を用いて説明する。
【０２６０】
図１５は、リーダライタシステムの構成図である。
【０２６１】
リーダライタシステムは、精算装置７００そして情報記憶担体７０４により構成される。
【０２６２】
図１５において、７００は精算装置である。
【０２６３】
７０３は情報記憶担体７０４の読み取りおよび書き込みを行うとともに情報格納部７３１の格納処理が成功したとき情報記憶担体７０４の価格情報を消去するリーダライタ部である。
【０２６４】
７０４は情報記憶担体であり、非接触式または接触式により情報の読み込み・書き込みが行える担体であり、例えば非接触式カード、接触式カードを使用する。
【０２６５】
７３０は日付情報を提供する時計である。
【０２６６】
７３１はリーダライタ部７０３で読み取った食物の価格情報を顧客識別情報が示す記憶部７３２の格納エリアに格納する情報格納部である。
【０２６７】
７３２は食物の価格情報と顧客を一意に識別する顧客識別情報を関連付けして記憶する記憶部である。
【０２６８】
図１６は、記憶部に格納されている情報を示す図である。
【０２６９】
図１６（ａ）は、情報記憶担体に格納されている情報の上位定義を示す図である。
【０２７０】
顧客ＩＤ番号は、顧客を一意に識別するためのコードである。
【０２７１】
第１日の食物情報から第３１日の食物情報は、食物に関する情報であり、詳細を図１６（ｂ）に示す。第１日の食物情報から第３１日の食物情報には情報記憶担体７０４から読み取った情報を時計７３０が示す日付の食物情報に格納する。なお、本実施の形態では１ヶ月分３１個の食物情報としているが運用に応じて調整してよい。
【０２７２】
図１６（ｂ）は、第１日の食物情報から第３１日の食物情報の詳細定義を示す図である。
【０２７３】
第１の食物情報から第１０の食物情報には、情報記憶担体７０４から読み取った情報を格納する。なお、本実施の形態では１０個の食物としているが運用に応じて調整してよい。
【０２７４】
図１６（ｃ）は、第１の食物情報から第１０の食物情報の詳細定義を示す図である。
【０２７５】
第１の食物情報から第１０の食物情報には、情報記憶担体７０４から読み取った情報を格納する。
【０２７６】
精算装置７００は、例えばネットワークを介して実施の形態８の制限値書き込み装置８００や請求書発行装置と接続されており、記憶部７３２を配信できる。
【０２７７】
次に、以上のような構成におけるリーダライタシステムの動作を説明する。
【０２７８】
なお、顧客は実施の形態５または６の決済処理を実行し、情報記憶担体７０４に図１３に示す情報が書き込まれているものとする。
【０２７９】
顧客は、精算装置７００に情報記憶担体７０４を挿入またはかざす。
【０２８０】
精算装置７００は、情報記憶担体７０４が挿入またはかざされたことを検出する。
【０２８１】
リーダライタ部７０３は情報記憶担体７０４を読み取り、読み取った情報を情報格納部７３１に入力する。
【０２８２】
情報格納部７３１は、時計７３０から日付を入力し、顧客ＩＤ番号が示す格納エリア第１日の食物情報から第３１日の食物情報のなかから日付のうちの日（以下、Ｄとする）が示す格納エリアすなわち第Ｄ日の食物情報に読み取った情報のうちの第１の食物情報から第１０の食物情報を格納する。
【０２８３】
次に情報格納部７３１は、情報記憶担体７０４の価格情報としての第１の食物情報から第１０の食物情報を消去する。
【０２８４】
以上のように、リーダライタシステムは顧客が情報記憶担体を読み取らせた時点で料金決済に必要な情報を記憶部の格納エリアに格納する。また、次回の使用に備えて情報記憶担体の価格情報を消去することができる。
【０２８５】
（実施の形態８）
以下、本発明の実施の形態８について、図１７、図１８、図１９を用いて説明する。
【０２８６】
図１７は、リーダライタシステムの構成図である。
【０２８７】
リーダライタシステムは、制限値書き込み装置８００そして情報記憶担体８０４により構成される。
【０２８８】
図１７において、８００は制限値書き込み装置である。
【０２８９】
８０３は情報記憶担体８０４の読み取りを行うとともに情報記憶担体８０４の顧客が食物を摂取するとき考慮すべき情報を書き込むリーダライタ部である。
【０２９０】
８０４は情報記憶担体であり、非接触式または接触式により情報の読み込み・書き込みが行える担体であり、例えば非接触式カード、接触式カードを使用する。
【０２９１】
８３０は日付情報を提供する時計である。
【０２９２】
８３２は顧客を一意に識別する顧客識別情報と顧客が摂取した食物の履歴情報と、顧客を一意に識別する顧客識別情報と顧客が食物を摂取するとき考慮すべき情報を関連付けして記憶する記憶部である。
【０２９３】
８３３は顧客識別情報が示す記憶部８３２の顧客が摂取した食物の履歴情報に基づき顧客が食物を摂取するとき考慮すべき情報を判定する判定部である。
【０２９４】
図１８及び図１９は、記憶部に格納されている情報を示す図である。
【０２９５】
図１８は、実施の形態７の図１６と同じなので説明を省略する。
【０２９６】
なお、記憶部８３２は、実施の形態７の記憶部７３２の情報を顧客が摂取した食物の履
歴情報として使用する。制限値書き込み装置８００は、例えばネットワークを介して精算装置７００と接続されており、記憶部７３２の情報を記憶部８３２に取り込み済みとして説明する。
【０２９７】
図１９は、記憶部に格納されている情報を示す図である。
【０２９８】
顧客を一意に識別する顧客ＩＤ番号と顧客が食物を摂取するとき考慮すべき情報を関連付けして記憶する。
【０２９９】
本実施の形態では、カロリー制限値、塩分量、油の量及びアレルギー物質の許容量を定義しているが、運用に応じて追加あるいは置き換えしてもよい。
【０３００】
次に、以上のような構成におけるリーダライタシステムの動作を説明する。
【０３０１】
なお、顧客は実施の形態７の清算処理を実行し、記憶部８３２に図１６に示す顧客が摂取した食物の履歴情報が格納されているものとする。
【０３０２】
また、顧客が食物を摂取するとき考慮すべき情報として、カロリー制限値が選択されているものとする。
【０３０３】
顧客は、食事の前に制限値書き込み装置８００に情報記憶担体８０４を挿入またはかざす。
【０３０４】
制限値書き込み装置８００は、情報記憶担体８０４が挿入またはかざされたことを検出する。
【０３０５】
リーダライタ部８０３は情報記憶担体８０４を読み取り、読み取った情報を判定部８３３に入力する。
【０３０６】
判定部８３３は、時計８３０から日付を入力し、顧客ＩＤ番号が示す格納エリア第１日の食物情報から第３１日の食物情報のなかから日付のうちの日（以下、Ｄとする）が示す格納エリアすなわち第Ｄ−１日の食物情報、第Ｄ−２日の食物情報というように過去に遡って、実際に食事した３日分の食物情報を獲得する。
【０３０７】
次に判定部８３３は、３日分の食物情報から食物のカロリー情報を抽出し、これらの合計値を算出する。さらに判定部８３３は、カロリー制限値を４倍にし、先の合計値を差し引き算し暫定のカロリー制限値とする。最後に判定部８３３は、カロリー制限値と暫定のカロリー制限値を比較し、低い数値の方を今回のカロリー制限値とする。
【０３０８】
次に判定部８３３は、今回のカロリー制限値をリーダライタ部８０３に入力する。
【０３０９】
リーダライタ部８０３は今回のカロリー制限値を情報記憶担体８０４のカロリー制限値に書き込む。
【０３１０】
以上のように、リーダライタシステムは食事の前に、顧客が摂取した食物の履歴情報に基づき顧客が食物の摂取するとき考慮すべき情報を提供できる。また、今回のカロリー制限値を顧客は摂取した食物の履歴情報に基づきリアルタイムに更新することで、顧客が制限値をオーバーしないように誘導できる。
【０３１１】
なお、本実施の形態では過去３日の履歴を使用したが運用に応じて調整してよい。
【０３１２】
また、本実施の形態ではカロリー値を使用したが、塩分の量、油の量、アレルギー物質の含有量を使用してもよい。
【産業上の利用可能性】
【０３１３】
本発明のリーダライタシステムは顧客が食物を選択するその場で食物に関する情報を提供し、食物選択の利便性を向上させ、また、料金精算に関わる人件費を削減することができるので、食堂管理システムなどに有用である。
【図面の簡単な説明】
【０３１４】
【図１】本発明のリーダライタ装置の構成図
【図２】同リーダライタ装置の構成図
【図３】同リーダライタシステムの構成図
【図４】同リーダライタ装置の操作パネルを示す図
【図５】同非接触タグに格納されている情報を示す図
【図６】同情報記憶担体に格納されている情報を示す図（ａ）情報記憶担体に格納されている情報の上位定義を示す図（ｂ）顧客識別情報の詳細定義を示す図（ｃ）第１の食物情報から第１０の食物情報の詳細定義を示す図
【図７】同表示部が表示する情報を示す図（ａ）表示部が表示する情報の上位定義を示す図（ｂ）顧客識別情報の詳細定義を示す図（ｃ）第１の食物情報から第１０の食物情報を示す図（ｄ）第１の食物情報から第１０の食物情報の詳細定義を示す図（ｅ）合計食物情報の詳細定義を示す図
【図８】同表示部の表示状態を示す図
【図９】同表示部の表示状態を示す図
【図１０】同リーダライタシステムの構成図（ａ）リーダライタ装置、トレー及び食器の上面図（ｂ）図１０（ａ）のＡ−Ａ断面図（ｃ）図１０（ｂ）のＢ部の拡大図
【図１１】同リーダライタ装置の操作パネルを示す図
【図１２】同決済端末装置の操作パネルを示す図
【図１３】同情報記憶担体に格納されている情報を示す図（ａ）食物情報を示す図（ｂ）顧客のカロリー制限値を示す図（ｃ）食物のカロリー等の情報を示す図
【図１４】同決済端末装置の操作パネルを示す図
【図１５】同リーダライタシステムの構成図
【図１６】同記憶部に格納されている情報を示す図（ａ）顧客の１ヶ月の食物情報を示す図（ｂ）第１から第１０の食物情報を示す図（ｃ）食物のカロリー等の情報を示す図
【図１７】同リーダライタシステムの構成図
【図１８】同記憶部に格納されている情報を示す図（ａ）顧客の１ヶ月の食物情報を示す図（ｂ）第１から第１０の食物情報を示す図（ｃ）食物のカロリー等の情報を示す図
【図１９】同記憶部に格納されている情報を示す図
【符号の説明】
【０３１５】
１００  リーダライタ装置
１０１  アンテナ
１０２  復号化部
１０３  ライタ部
１０４  情報記憶担体
１０５  非接触タグ
２００  リーダライタ装置
２０１  アンテナ
２０２  復号化部
２０３  ライタ部
２０４  情報記憶担体
２０５  非接触タグ
２０６  表示部
３００  リーダライタ装置
３０１  アンテナ
３０２  復号化部
３０３  ライタ部
３０４  情報記憶担体
３０５  非接触タグ
３０６  表示部
３０７  食器
３０８  書き込みボタン
３０９  上ボタン
３１０  下ボタン
３１１  取り消しボタン
３１２  読み取りボタン
４００  リーダライタ装置
４０１  アンテナ
４０２  復号化部
４０３  ライタ部
４０４  情報記憶担体
４０５  非接触タグ
４０６  表示部
４０７  食器
４０８  書き込みボタン
４０９  上ボタン
４１０  下ボタン
４２０  トレー
５００  決済端末装置
５０１  アンテナ
５０２  復号化部
５０３  ライタ部
５０４  情報記憶担体
５０５  非接触タグ
５０６  表示部
５０７  食器
５０８  決済確定ボタン
５０９  上ボタン
５１０  下ボタン
５１１  取り消しボタン
５１２  読み取りボタン
６００  決済端末装置
６０１  アンテナ
６０２  復号化部
６０３  ライタ部
６０４  情報記憶担体
６０５  非接触タグ
６０６  表示部
６０７  食器
６０８  決済確定ボタン
６０９  上ボタン
６１０  下ボタン
６２０  トレー
７００  精算装置
７０３  リーダライタ部
７０４  情報記憶担体
７３０  時計
７３１  情報格納部
７３２  記憶部
８００  制限値書き込み装置
８０３  リーダライタ部
８０４  情報記憶担体
８３０  時計
８３２  記憶部
８３３  判定部
【図１】
2006277222.tif 000004
【図２】
2006277222.tif 000005
【図３】
2006277222.tif 000006
【図４】
2006277222.tif 000007
【図５】
2006277222.tif 000008
【図６】
2006277222.tif 000009
【図７】
2006277222.tif 000010
【図８】
2006277222.tif 000011
【図９】
2006277222.tif 000012
【図１０】
2006277222.tif 000013
【図１１】
2006277222.tif 000014
【図１２】
2006277222.tif 000015
【図１３】
2006277222.tif 000016
【図１４】
2006277222.tif 000017
【図１５】
2006277222.tif 000018
【図１６】
2006277222.tif 000019
【図１７】
2006277222.tif 000020
【図１８】
2006277222.tif 000021
【図１９】
2006277222.tif 000022